(57)【特許請求の範囲】
【請求項１】
テーラードタイプの上衣の前身頃用の加工芯１であって、台芯２の肩部に肩ダーツ６を設け、該肩ダーツの首側の縁部６Ａはフラシ部用当て布４と縫合一体化され、該肩ダーツの腕側の縁部６Ｂは、前記フラシ部用当て布４と縫合により一体化されている上端部分６Ｃとフラシ構造部分６Ｄとからなり、前記フラシ部用当て布４の首側の領域では前記台芯２および胸増芯３と縫合接合され、前記台芯２の該フラシ構造部分６Ｄから腕側の領域では胸増芯３と該台芯２とが接合されていないことを特徴とする上衣用加工芯。
【請求項２】
前記胸増芯３が織地からなるものであり、該胸増芯３の経糸方向が、該胸増芯３の襟線１２の方向と２０°〜４０°の交差角θを呈してバイアス使用されていることを特徴とする請求項１記載の上衣用加工芯。
【請求項３】
前記台芯２が、襟前側部１３側に凸状に湾曲した形状で形成された胸ダーツ６２を有することことを特徴とする請求項１または２記載の上衣用加工芯。
【請求項４】
請求項１記載の上衣用加工芯と、ストレッチ率が１０〜３０％である高ストレッチ性表生地が用いられて縫製されていることを特徴とするテーラードタイプの上衣。
【請求項５】
前記高ストレッチ性表生地が、ストレッチ率１２〜２５％の高ストレッチ性表生地であることを特徴とする請求項４記載のテーラードタイプの上衣。
【請求項６】
請求項１記載の上衣用加工芯の胸増芯３の下に、織地と不織布が積層されて一体化されてなる肩パッドが、該肩パッドの織地の経糸方向が胸増芯３の肩線方向と交差するようにして使用されていることを特徴とする請求項４または５記載のテーラードタイプの上衣。
【請求項７】
肩部分に裏地が使用され、該裏地が、ストレッチ率が１０〜３０％である高ストレッチ性裏地であるかまたは織地からなり該織地の経糸方向が胸増芯３の肩線方向と交差するようにして使用されているバイアス使用裏地であることを特徴とする請求項４〜６のいずれかに記載のテーラードタイプの上衣。
【請求項８】
前記高ストレッチ性表生地が、織物生地であることを特徴とする請求項４〜７のいずれかに記載のテーラードタイプの上衣。
【請求項９】
前記高ストレッチ性表生地が、編物生地であることを特徴とする請求項４〜７のいずれかに記載のテーラードタイプの上衣。
【発明の詳細な説明】
【技術分野】
【０００１】
本発明は、紳士服等のテーラードタイプ（背広型）の上衣における加工芯とそれを用いた上衣に関する。
【０００２】
更に詳しくは、ジャケットや背広上着などのテーラードタイプの上衣において、従来の常識に反して、着用者の肩の動きに対応して比較的自由に伸縮することができて、肩の窮屈さがなく、画期的な着やすさ・着心地感、運動追随性を実現させる上衣の前身頃に使用される上衣用加工芯とそれを用いた上衣に関する。
【背景技術】
【０００３】
従来、ジャケット、背広上着などのテーラードタイプの上衣においては、着用者の肩の動き等に応じて伸縮することは「絶対に」と言っていいほど好まれず、そのため肩の動きなどに応じて伸びたり縮んだりすることがないように、芯地（台芯、胸増芯など）、表地などの形・性能や生地特性が考えられ、縫製されて作られてきた。
【０００４】
このような観点で、従来からテーラードタイプの上衣においては、着用したとき、様々なシーンでも美しい立体形状を常に保持し、美しい胸のシルエットやフォルム、ボリューム感をホールドしてシルエット、フォルムを美しく見せるため様々な芯地が内部において使用されている。
【０００５】
従来、そのような目的を達成するために前身頃に使用される芯地としては、一般に、台芯（芯地を２枚以上使う場合の基礎となる芯地）に、胸増芯、肩バス芯およびフェルト芯を複合した四重構造を呈して構成されたものなどが多く使用されている。
【０００６】
この複数のパーツが複合されて構成された芯地は、全体としては加工芯と呼ばれる（毛芯、作り芯とも呼ばれることがある）。
【０００７】
この加工芯を構成するに当たって、従来は、上述したように肩の動き等に応じて上衣が伸びたり縮んだりすることによってテーラードタイプの上衣に相応しいシルエットやフォルムが崩れたりしないようにすることが前提にされて、その上で、衣服としての着用のしやすさなどが考えられてきた。
【０００８】
例えば、紳士服等の上着の前身頃に使用される衣服用台芯に関する提案であって、着用者の体形に応じた曲面を有しながら、着用性を向上させる衣服用台芯を提供することを目的として、上着の前身頃内部に介装される台芯であって、前身頃内部に介装される身頃用台芯の肩部を、身頃用台芯の肩部台芯として形成するとともに、この肩部台芯の身頃用台芯との接続部に、肩部から胸部にかけてダーツ（切断して縫合した部分部）を設けた衣服用台芯が提案されている（特許文献１）。この台芯は、切断による肩部ダーツを設けることによって、肩から首部にかけて自然なラインを効果的に表現し着用性を向上させている。
【０００９】
この特許文献１の提案のように、台芯の肩部に切断によるダーツを設けたものは、美しいシルエット、安定した丸みを表現するに効果的なものであり、他の加工芯に関する提案でも採用されている（特許文献２−３）。
【００１０】
また、胸部のボリュームに応じた立体性、ドレープ性をより効果的に保持できる上衣の前加工芯として、加工芯を胸脇側部と衿前側部の２片に分割して形成するとともに、それ
らの分割境界辺を、衿前側部側に曲線をもって積極的に突出させた湾曲曲線で形成し、その胸脇側部の分割辺と衿前側部の分割辺を突き合わせ縫着して構成した上衣の加工芯が提案されている（特許文献４）。
【００１１】
しかし、これらの従来の提案のものは、いずれも、上着を着用した状態で体を動かしたときなどでも、馴染みが良く、硬い感じがせずに着心地が良い、あるいはドレープ性がよいという効果をねらったものにすぎず、伸縮することを許容しない従来のテーラードタイプの上衣の域を出るものではなかった。
【先行技術文献】
【特許文献】
【００１２】
【特許文献１】特開平５−１３２８０５号公報（請求項２、請求項３、段落００６１）
【特許文献２】特開平７−２５２７１１号公報
【特許文献３】特開２００７−２３１４８９号公報
【特許文献４】特開２００６−１６１２１３号公報
【発明の概要】
【発明が解決しようとする課題】
【００１３】
一方、近年では、テーラードタイプ（背広型）の上衣でも、着用者の体の動きに合わせて伸縮ができるという、今までにない商品に新たな価値が見出されてきて、その実現が求められるようになってきた。
【００１４】
本発明の目的は、上述したような点に鑑み、様々なシーンで美しい立体形状を保持し、美しい胸のシルエットやフォルム、ボリューム感をホールドするという従来のテーラードタイプ（背広型）の上衣に要される特徴を堅持しながらも、着用者の体の動きに合わせて伸縮ができるという、従来にはないテーラードタイプ（背広型）の上衣を提供することを実現する上衣用加工芯を提供すること、および、該加工芯を用いた着用者の体の動きに合わせて高度に伸縮ができるテーラードタイプ（背広型）の上衣を提供することにある。
【課題を解決するための手段】
【００１５】
上述した目的を達成する本発明のテーラードタイプの上衣用加工芯は、以下の（１）の構成からなる。
（１）テーラードタイプの上衣の前身頃用の加工芯１であって、台芯２の肩部に肩ダーツ６を設け、該肩ダーツの首側の縁部６Ａはフラシ部用当て布４と縫合一体化され、該肩ダーツの腕側の縁部６Ｂは、前記フラシ部用当て布４と縫合により一体化されている上端部分６Ｃとフラシ構造部分６Ｄとからなり、前記フラシ部用当て布４の首側の領域では前記台芯２および胸増芯３と縫合接合され、前記台芯２の該フラシ構造部分６Ｄから腕側の領域では胸増芯３と該台芯２とが接合されていないことを特徴とする上衣用加工芯。
【００１６】
かかる本発明の上衣用加工芯において、さらに、以下の（２）または（３）の構成を有することが好ましい。
（２）前記胸増芯３が織地からなるものであり、該胸増芯３の経糸方向が、該胸増芯３の襟線１２の方向と２０°〜４０°の交差角θを呈してバイアス使用されていることを特徴とする上記（１）記載の上衣用加工芯。
（３）前記台芯２が、襟前側部１３側に凸状に湾曲した形状で形成された胸ダーツ６２を有することを特徴とする上記（１）または（２）記載の上衣用加工芯。
【００１７】
また、上述した目的を達成する本発明のテーラードタイプ（背広型）の上衣は、以下の（４）の構成からなる。
（４）上記（１）記載の上衣用加工芯と、ストレッチ率が１０〜３０％である高ストレッチ性表生地が用いられて縫製されていることを特徴とするテーラードタイプの上衣。
【００１８】
かかる本発明のテーラードタイプの上衣において、さらに以下の（５）〜（９）のいずれかの構成を有することが好ましい。
（５）前記高ストレッチ性表生地が、ストレッチ率１２〜２５％の高ストレッチ性表生地であることを特徴とする上記（４）記載のテーラードタイプの上衣。
（６）上記（１）記載の上衣用加工芯の胸増芯３の下に、織地と不織布が積層されて一体化されてなる肩パッドが、該肩パッドの織地の経糸方向が胸増芯３の肩線方向と交差するようにして使用されていることを特徴とする上記（４）または（５）記載のテーラードタイプの上衣。
（７）肩部分に裏地が使用され、該裏地が、ストレッチ率が１０〜３０％である高ストレッチ性裏地であるかまたは織地からなり該織地の経糸方向が胸増芯３の肩線方向と交差するようにして使用されているバイアス使用裏地であることを特徴とする上記（４）〜（６）のいずれかに記載のテーラードタイプの上衣。
（８）前記高ストレッチ性表生地が、織物生地であることを特徴とする上記（４）〜（７）のいずれかに記載のテーラードタイプの上衣。
（９）前記高ストレッチ性表生地が、編物生地であることを特徴とする上記（４）〜（７）のいずれかに記載のテーラードタイプの上衣。
【発明の効果】
【００１９】
請求項１にかかる本発明の上衣用加工芯によれば、様々なシーンで美しい立体形状を保持し、美しい胸のシルエットやフォルム、ボリューム感をホールドするという従来のテーラードタイプ（背広型）の上衣に要される特徴を維持しながら、着用者の体の動きに合わせて伸縮ができるという、従来にはないテーラードタイプ（背広型）の上衣を提供することを実現する上衣用加工芯が提供される。
【００２０】
請求項２〜３のいずれかの本発明の上衣用加工芯によれば、上記請求項１にかかる本発明で得られる効果に加え、さらに、シルエットの美しさ、優れたドレープ性という点で優れた上衣用加工芯が提供される。
【００２１】
請求項４にかかる本発明のテーラードタイプの上衣によれば、様々なシーンで美しい立体形状を保持し、美しい胸のシルエットやフォルム、ボリューム感をホールドするという従来のテーラードタイプ（背広型）の上衣に要される特徴を維持しながら、着用者の体の動きに合わせて伸縮ができるという、従来にはないテーラードタイプ（背広型）の上衣が提供される。
【００２２】
請求項５〜９のいずれかの本発明のテーラードタイプの上衣によれば、上述した請求項４にかかる本発明の上衣の効果をより顕著に発揮できる上衣が提供される。
【図面の簡単な説明】
【００２３】
【図１】本発明の上衣用加工芯を構成する芯地パーツを分解して示した平面図である。
【図２】本発明の上衣用加工芯の１実施態様を示した外観正面図である。
【図３】図２に示した本発明の上衣用加工芯の１実施態様を、裏側に隠れた芯地パーツを含めて示した正面図である。
【図４】図２に示した本発明の上衣用加工芯の１実施態様を、裏側に隠れた芯地パーツを含めて示した正面図である図３の要部を拡大して示した正面図である。
【図５】（ａ）〜（ｃ）は、本発明の上衣用加工芯における各芯地パーツの接合箇所を説明する正面図である。
【図６】（ａ）は、本発明の上衣用加工芯における台芯の胸ダーツと胸増芯の地の目の好ましい態様を示したものであり、（ｂ）は、（ａ）に示した態様と対比して従来の台芯の胸ダーツと胸増芯の地の目の態様を示したものである。
【発明を実施するための形態】
【００２４】
以下、更に詳しく、本発明の上衣用加工芯について、図面などを参照しながら説明する。
【００２５】
本発明の上衣用加工芯１は、テーラードタイプの上衣の前身頃用の加工芯１であって、図１にその構成パーツを示したように、台芯２、胸増芯３、フラシ部用当て布４、襟用台芯５からなる。６は台芯２に設けられた肩ダーツである。６１、６２、６３、６４は、台芯２、胸増芯３に設けられたダーツであり、６２、６４は胸ダーツと呼ばれる。
【００２６】
図１に示した各パーツは、加工芯として仕上げられた状態では千鳥縫いなどによって図２および図３に示したように全体が縫合されて一体化されている。
【００２７】
本発明の上衣用加工芯１の特徴の第一は、台芯２の肩部に設けられた肩ダーツ６付近の構造にあり、肩ダーツ６の首側の縁部６Ａはフラシ部用当て布４と縫合一体化されていて、一方、該肩ダーツ６の腕側の縁部６Ｂは、前記フラシ部用当て布４と縫合により一体化されている上端部分６Ｃとフラシ構造部分６Ｄとからなり、少なくとも台芯２のフラシ構造部分６Ｄから腕側の領域では胸増芯３と該台芯２とが接合されていないことにある。そして、好ましくは、台芯２の肩ダーツ６の腕側の縁部６Ｂから腕側の領域では、台芯２は、フラシ部用当て布４と縫合により一体化されている腕側の縁部６Ｂの上端部分６Ｃを除いて、特に、他のパーツと接合されていないことである。そうした方が、台芯２の肩部の腕側付近がより高度に伸縮に追従することができるからである。
【００２８】
本発明において、「フラシ構造」とは、「綴じられていない状態の構造」をいい、より具体的には、縫製で接合して衣類を構成していくケースでは、「縫い止められていない状態の構造」をいい、「振らし（ふらし）」とも書き、振れて動くことのできる状態を意味する服飾業界での用語である。
【００２９】
台芯２、胸増芯３、フラシ部用当て布４、襟用台芯５は、代表的にはそれぞれ目の粗めな織物からなり、図１や図５の各芯地パーツにて示したように、その織物の経糸方向Ｓｔと緯糸方向Ｓｙが考慮されて型取りがされて各芯地として使用される。なお、特に「経糸方向Ｓｔ」は、当業界で「地の目（の方向）」とも呼ばれる。
【００３０】
図２は、台芯２の肩ダーツ部６の裏側にフラシ部用当て布４が配されている位置を示しており、フラシ部用当て布４は、台芯２の肩ダーツ部６の裏側において、肩ダーツ６の図面上、左側の領域（図５（ｃ）の左上がり斜線で示した領域Ｚ２）で台芯２と縫合等により接合されている。この縫合接合状態については、図４、図５を用いて詳細は後述する。
【００３１】
図３は、フラシ部用当て布４の裏側にさらに、襟用台芯５を配し、その裏側にさらに胸増芯３を配した位置関係を示す。襟用台芯５は必ずしも使用しなくてもよいが、襟元のシルエットをしっかりと保持する上で使用することが好ましい。
【００３２】
台芯２、フラシ部用当て布４、襟用台芯５、胸増芯３の縫製による接合状態を図４、図５を用いて説明する。
【００３３】
図４は、特に肩ダーツ６付近における縫合状態を示したものであり、肩ダーツの首側の縁部６Ａはフラシ部用当て布４と縫合部７Ａで縫合されている。台芯２の肩ダーツの腕側
の縁部６Ｂは、フラシ部用当て布４と縫合により一体化されている上端部分６Ｃと、フラシ構造部分６Ｄとからなっていて、肩側縁部６Ａとは相違する構造となっている。
【００３４】
肩ダーツｋ腕側の縁部６Ｂのフラシ部用当て布４と縫合により一体化されている上端部分６Ｃは、長さにして約１．５〜２．５ｃｍ程度であり、その部分の下（腹側）にフラシ構造部分６Ｄが約６〜９ｃｍ程度の長さで設けられている。
【００３５】
フラシ部用当て布４は、台芯２と、肩ダーツ６よりも図面上で左側の領域のほぼ全体（図５（ｃ）で左上がりの斜線を引いた領域Ｚ２）、さらに、肩ダーツの肩側の縁部６ａ、および肩ダーツの腕側の縁部６ｂの上端部分６ｃ部分において縫合により接合されている。また、フラシ部用当て布４は、その裏側で、胸増芯３と、肩ダーツ６よりも図面上で左側の領域の襟側（根本）から約１／２〜約１／３までの領域（図５（ｃ）で右上がりの斜線を引いた領域Ｚ１）で、縫合一体化されている。
【００３６】
台芯２と胸増芯３は、該台芯２のフラシ構造部分６Ｄから腕側の領域（好ましくは、前述したように、台芯２の肩ダーツ６の腕側の縁部６Ｂから腕側の全体の領域（ただし、
台芯２の肩ダーツの腕側の縁部６Ｂのうちの、フラシ部用当て布４と縫合により一体化されている上端部分６Ｃを除く））（図５（ａ）で白抜きで示した領域Ｚ３）では胸増芯３と台芯２とが接合されていないものであり、両者の接合部分は、図５（ａ）で２点鎖線の左上がりの斜線で示した部分である。この接合は、図５（ｂ）に示したような、両者を重ね合わせて行う千鳥縫い９などによってなされる。なお、図５（ａ）で示した２点鎖線の左上がりの斜線は、胸増芯３の経糸方向Ｓｔ（上述した地の目）をも、ほぼ示している。
【００３７】
上述した構造にしたことによって、本発明の上衣用加工芯１では、台芯２の肩ダーツの腕側の縁がフラシ構造となっていること、さらに、そのフラシ構造部分よりも腕側の領域Ｚ３においては、台芯２は、図５（ｂ）に示したように、腕側に引張り力Ｆ１を加えると台芯２はフラシ構造部分の存在によって、簡単に台芯２のみが引っ張られて芯地が振れる（引張り力Ｆ２の方向に伸縮する）。そのときでも、胸増芯３は、領域Ｚ３における台芯２とは相互に独立していて、フラシ部用当て布４の襟側の根本部付近において、該フラシ部用当て布４を介して台芯２の襟側の根本部付近としっかりと接合されているため、引張り力Ｆ１の作用をほとんど受けることなく、芯地（胸増芯）としての形状を保ち、芯地（胸増芯）が本来醸し出す美しい立体形状をホールドし、美しい胸のシルエットやフォルム、ボリューム感を実現するという機能を発揮するのである。
【００３８】
特に、本発明者らの各種知見によれば、この効果を良好に発揮する上で、胸増芯３が織地からなるものであって、かつ胸増芯３の経糸方向Ｓｔ（地の目）が、該胸増芯３の襟線１２の方向と２０°〜４０°の交差角θを呈してバイアス使用されていることが（図１）、図５（ｂ）に図示したように、胸増芯３がある程度伸縮できるので好ましい。交差角θは、さらに好ましくは２５°〜３５°であり、最も好ましくは２８°〜３２°程度の３０°前後である。
【００３９】
また、伸縮をしたとしても、常に美しい立体形状を実現する上で、台芯２が、襟前側部１３側に凸状に湾曲した形状で形成された胸ダーツ６２を有することが好ましい（図１、図２）。このような胸ダーツ６２を設けると、上衣にＦ３のような向きの力が加わったときでも、胸部において前後に立体的に湾曲しようとする力Ｆ４が作用するので、美しいシルエット、フォルムが維持されるからである（図２）。
【００４０】
本発明の加工芯におけるこれらの台芯２、胸増芯３の地の目と、胸ダーツの構造の好ましい態様を図６の（ａ）に示し、従来のそれらの態様を図６の（ｂ）に示した。図６（ａ）に示した本発明の好ましい胸ダーツ６２の凸状に湾曲させるレベルは凸状の深さ（高さ
）Ｄで１．２〜１．５ｃｍ程度が好ましい。ちなみに、従来の加工芯では、図６（ｂ）に示したように、θは約１５°であり、台芯２と胸増芯３の地の目の方向は一致するようにして構成され、さらに、胸ダーツ６２は直線でＶ字型の切込みとして形成されているのが通常である。
【００４１】
本発明において、加工芯地を構成する素材は、従来から同種の上衣用の芯地として使用されてきている粗い織物を使用することができる。使用に当たっては、接着芯地と併用した接着縫製用としても従来と同様に使用することができる。すなわち、本発明では、芯地のパーツの形、構造、組合せた構造に特徴があるのであり、本発明の加工芯地は、従来の加工芯地と同様に、接着芯地と併用されて表地および裏地と適宜に合わされて使用され得るものである。
【００４２】
また、胸増芯３とフラシ部用当て布４は、同一の芯地材で構成されていることが好ましい。また、それら（胸増芯３とフラシ部用当て布４）は、台芯２よりもハリ、コシが強く、剛性が大きいものを使用するのが好ましい。
【００４３】
本発明の加工芯地は、フル加工芯（フル毛芯）として構成されていてもよく、あるいは７分加工芯（７分毛芯）として構成されていてもよく、特に限定されない。それらの相違は、図１、図２、図３、図６などで示した台芯の下方で破断線で表したあたりから下の部分があるかないかである。前者では全丈は８５〜８６ｃｍ前後、後者では全丈は６５ｃｍ前後となるのが代表的な例である。
【００４４】
本発明の加工芯地は、テーラードタイプの上衣に使用されてその効果を遺憾なく発揮する。
【００４５】
特に、そうした上衣用としては、従来では使用されることがほとんどなかったストレッチ率が１０〜３０％である高いストレッチ性を有する表生地が用いられて形成されたテーラードタイプの上衣が、そのストレッチ特性を生かせるので、本発明の効果をより高く発揮できる。
【００４６】
例えば、野球やゴルフのスウィング動作や各種球技スポーツの投球動作も無理なく可能なものである。高ストレッチ性の表生地は、好ましくは、特にストレッチ率１２〜２５％の高ストレッチ性表生地であるが好ましい。
【００４７】
また、本発明にかかる上衣用加工芯の胸増芯３の下に、織地と不織布が積層されて千鳥縫いや直線状縫いで縫製一体化されてなる肩パッドが、該肩パッドの織地の経糸方向が台芯２の織地の経糸方向と交差するようにしてバイアス使用されていることが好ましい。
【００４８】
本発明にかかるテーラードタイプの上衣に用いられる高ストレッチ性表生地は、前述した伸縮率を有する織物生地あるいは編物生地であることが好ましい。
【００４９】
また、本発明にかかるテーラードタイプの上衣において、肩部分に裏地を使用する場合は、該肩部分の裏地も、高ストレッチ性の生地を使用すること、あるいは、ストレッチ性の生地を使用しない場合には、肩パッドの場合と同様に、台芯２の織地の経糸方向と該裏地の経糸方向とが交差するようにしたバイアス使用をすることが好ましい。
【００５０】
本発明により得られるテーラードタイプの上衣を着用すれば、良好な着心地感が得られることで優れ、身体も軽く動きやすいので疲れを感じることが少ない。したがって、ビジネスの効率も上がり、現代社会のビジネスシーン、ストレスを蓄積させないテーラードタイプの上衣として最適なものである。
【００５１】
〔ストレッチ率〕
本発明において、ストレッチ率とは、ストレッチ性を有する織物の伸縮性を測定する下記する定荷重法によって伸長率（Ｂ１法）値を求めて、その値をストレッチ率としたものである。すなわち、試験片を約６ｃｍ×約３０ｃｍに切り、短い幅の方の両側の糸をほついて５ｃｍ幅にする。そして、試験片の一端の上部をクリップで固定し、他端に初荷重に相当するクリップを掛け、２０ｃｍ間の２点に印を付ける。初荷重に代え、１．５ｋｇの荷重を加え、１分間放置後の印間の長さ（Ｌ１：ｃｍ）を測定し、以下の式（ａ）により伸長率（％）を求める。本発明ではｎ数を３としてその平均値を求めて小数点以下１桁の数字に丸めた。
伸長率（ストレッチ率）＝｛（Ｌ１−２０）／２０｝×１００  ………式（ａ）
【００５２】
この測定手法は、ＪＩＳ  Ｌ１０９６「一般織物試験方法」の「伸縮織物の伸縮性」の測定評価法として規定されている、８．１４．１「伸縮織物の伸長率」のＢ法（定荷重法）に準じている。編地の表地についても、この方法に準じて測定をするものである。
【符号の説明】
【００５３】
１：加工芯
２：台芯
３：胸増芯
４：フラシ部用当て布
５：襟用台芯
６：肩ダーツ
６Ａ：肩ダーツの首側の縁部
６Ｂ：肩ダーツの腕側の縁部
６Ｃ：肩ダーツの腕側の縁部Ｂのうちフラシ部用当て布と縫合により一体化されている上端部分
６Ｄ：肩ダーツの腕側の縁部Ｂのうちのフラシ構造部分
６ｂ：（フラシ部用当て布における）肩ダーツの腕側の縁部
６ｃ：（フラシ部用当て布における）肩ダーツの腕側の縁部Ｂのうちフラシ部用当て布と縫合により一体化されている上端部分
６ｄ：（フラシ部用当て布における）肩ダーツの腕側の縁部Ｂのうちのフラシ構造部分
７：肩ダーツの縁部の縫合部
７Ａ：肩ダーツの首側縁部の縫合部
７Ｂ：肩ダーツの腕側縁部の縫合部
８：台芯２とフラシ部用当て布４の縫合接合部
９：千鳥縫い
１０：フラシ部
１１：台芯の襟線
１２：胸増芯の襟線
１３：襟前側部
６１、６３：ダーツ
６２、６４：胸ダーツ
Ｚ１：肩ダーツ６よりも図面上で左側の領域の襟側の１／２〜１／３の領域で、右上がりの斜線を引いた領域
Ｚ２：肩ダーツ６よりも図面上で左側の領域のほぼ全体の左上がりの斜線を引いた領域
Ｚ３：台芯２のフラシ構造部分６Ｄから腕側の領域で、図５（ａ）で白抜きで示した領域Ｓｔ：織物芯地の経糸方向（地の目）
Ｓｙ：織物芯地の緯糸方向
【図１】
0005474742.tif 000002
【図２】
0005474742.tif 000003
【図３】
0005474742.tif 000004
【図４】
0005474742.tif 000005
【図５】
0005474742.tif 000006
【図６】
0005474742.tif 000007